(57)【要約】      （修正有）【課題】構造が簡単であり、部品点数が少なく、製造工数及び製造コストを低減しうる冊子の固定構造を提供する。【解決手段】右見開きページを有し、左右のページが互いに連設された冊子を、冊子の表紙部及び裏表紙部を被覆しうる冊子カバーに固定する冊子の固定構造であって、冊子カバー及び冊子を、厚さ方向において挟持固定しうる全体棒状に形成されたバインダー部材を備える。バインダー部材は、冊子カバーの外側面部側に配置される基部と、基部の一端部において折曲形成され、冊子カバーの内側面部側において、冊子を冊子カバーに対して押圧しうる冊子押圧部と、基部の他端部において折曲形成され、冊子押圧部の先端部が係脱可能に係止しうる係止部とを備える。【選択図】図１
0003167319.tif 000002
【実用新案登録請求の範囲】
【請求項１】
右見開きページを有し、左右のページが互いに連設された冊子を、上記冊子の表紙部及び裏表紙部を被覆しうる冊子カバーに固定する冊子の固定構造であって、上記冊子カバー及び上記冊子を、厚さ方向において挟持固定しうる全体棒状に形成されたバインダー部材を備え、上記バインダー部材は、冊子カバーの外側面部側に配置される基部と、上記基部の一端部において折曲形成され、上記冊子カバーの内側面部側において、上記冊子を上記冊子カバーに対して押圧しうる冊子押圧部と、上記基部の他端部において折曲形成され、上記冊子押圧部の先端部が係脱可能に係止しうる係止部とを備えたことを特徴とする冊子の固定構造。
【請求項２】
上記冊子カバーは、柔軟性を有し、全体長方形状に形成されると共に、長さ方向中央部の幅方向両端部には、厚さ方向に貫通する一対の孔部が設けられ、
上記バインダー部材は、上記冊子カバーの幅方向の全域亘って配置され、
上記基部の両端部は、上記冊子カバーの孔部を貫通して上記冊子カバーの内側面部から突出して配置されるマチ部を形成して夫々直角に折曲され、
上記冊子押圧部は、上記係止部との係止状態を開放する方向へ付勢力を有するように折曲形成されると共に、
上記係止部は、上記他方のマチ部の先端部を、背表紙方向に向かう開口部を有するＵ字状に折り曲げ形成されていること特徴とする請求項１記載の冊子の固定構造。
【請求項３】
上記バインダー部材は、金属製であることを特徴とする請求項１又は請求項２に記載の冊子の固定構造。
【請求項４】
上記冊子カバーは、皮革から形成されていることを特徴とする請求項１から請求項３何れか１項記載の冊子の固定構造。
【請求項５】
上記冊子カバーは、長さ方中央部において二つ折りの状態とした場合、二つ折り状態を保持しうるカバー固定部を備えていることを特徴とする請求項２記載の冊子の固定構造。
【考案の詳細な説明】
【技術分野】
【０００１】
本考案は、右見開きページを有し、左右のページが互いに連設された冊子を、上記冊子の表紙部及び裏表紙部を被覆しうる冊子カバーに固定する冊子の固定構造に関する。
【背景技術】
【０００２】
本、手帳、若しくはノート等の冊子に装着しうる冊子カバーには、冊子の保護機能の他、読んでいる書籍を他人に見られないようにするプライバシー確保機能、装飾機能等を有しており、既に多彩なデザインの製品が流通している。
【０００３】
従来の冊子カバーは、冊子の表紙部、裏表紙部及び背表紙部を被覆しうる長さ寸法に形成された、略長方形状の冊子カバーの内側面部の長さ方向両端部に、上記冊子の表紙部と裏表紙部とを挿入しうる一対のポケット部が設けられ、上記ポケット部に冊子の表紙部、及び裏表紙部を挿入することによって、上記冊子に装着されていた。
【０００４】
しかしながら、上記従来の冊子カバーの場合、冊子の表紙部と裏表紙部をポケット部に挿入する作業が煩雑であると共に、作業中に誤って表紙部若しくは裏表紙部を折り曲げて破損してしまう虞があるという不具合を有していた。
また、上記冊子カバーを一度装着すると、冊子の表紙部に印刷してある冊子タイトル等が視認できなくなるため、上記冊子カバーを複数の冊子に装着した場合に、個々の冊子のタイトルを確認するためには、一旦冊子カバーを取り外して、タイトル等を確認する必要があるという不具合を有していた。
【０００５】
上記不具合を解決するため、図４に示すように、長方形状のシート材からなる冊子カバー７１と、上記冊子カバー７１の内側面部の長さ方向中央部において、幅方向に沿って固着され、冊子（図示せず）の背表紙部が嵌合しうる、横断面コ字形状に形成された背当て部７２と、上記背当て部７２の一端部７２ａにヒンジ部７３を介して接続され、上下方向に移動可能にされた棒状の冊子押圧部７４と、上記背当て部７２の他端部７２ｂにおいて、上記冊子カバー７１の内側面部から突出して配設され、上記冊子押圧部７４の先端部７４ａを係止しうる係止部７５とから形成された冊子の固定構造７０が提案されている（特許文献１）。
【０００６】
上記特許文献１にあっては、上記冊子カバー７１を冊子に固定する場合は、上記冊子を左右見開き状態として、背表紙部を上記背当て部７２に嵌合する。
この状態で、上記冊子押圧部７４を冊子方向に回動させ、上記冊子の左右ページの連設部分を押圧し、上記背当て部７２との間で上記冊子を挟持するように配置して、上記冊子押圧部７４の先端を上記係止部７５に係止させて固定する。
【０００７】
上記特許文献１に係る冊子カバーの場合、冊子の表紙部と裏表紙部をポケット部に挿入する操作が不要であるため、装着操作が簡単であると共に、冊子の表紙部と裏表紙部に皺や破れを生じさせる虞がない。
また、上記冊子カバーを装着した状態において、冊子カバーと、冊子の表紙部及び裏表紙部が固定されていないことから、冊子の表紙タイトル等を容易に確認することができる。
【０００８】
しかしながら、上記特許文献１に係る冊子カバーの場合、上記背当て部は、冊子カバーの内側面部に固着されていることから、ネジ若しくは接着剤等の固定手段が必要となると共に、上記冊子押圧部と上記背当て部とはヒンジ部を介して接続されているため、構造が複雑であり、且つ部品点数が多くなることから、製造工数、及び製造コストが大きくなるという不具合を有していた。
【特許文献１】実開昭４８−６０６１２号公報
【考案の開示】
【考案が解決しようとする課題】
【０００９】
本考案の解決する課題は、構造が簡単であり、部品点数が少なく、製造工数及び製造コストを低減しうる冊子カバーを提供することにある。
【課題を解決するための手段】
【００１０】
上記課題を解決するために、請求項１記載の考案に係る冊子の固定構造は、右見開きページを有し、左右のページが互いに連設された冊子を、上記冊子の表紙部及び裏表紙部を被覆しうる冊子カバーに固定する冊子の固定構造であって、上記冊子カバー及び上記冊子を、厚さ方向において挟持固定しうる全体棒状に形成されたバインダー部材を備え、上記バインダー部材は、冊子カバーの外側面部側に配置される基部と、上記基部の一端部において折曲形成され、上記冊子カバーの内側面部側において、上記冊子を上記冊子カバーに対して押圧しうる冊子押圧部と、上記基部の他端部において折曲形成され、上記冊子押圧部の先端部が係脱可能に係止しうる係止部とを備えたことを特徴とする。
【００１１】
従って、上記バインダー部材が全体棒状に形成されているため、構造が単純であり、部品点数を少なくすることができる。
【００１２】
また、請求項２記載の考案に係る冊子の固定構造は、上記冊子カバーは、柔軟性を有し、全体長方形状に形成されると共に、長さ方向中央部の幅方向両端部には、厚さ方向に貫通する一対の孔部が設けられ、上記バインダー部材は、上記冊子カバーの幅方向の全域亘って配置され、上記基部の両端部は、上記冊子カバーの孔部を貫通して上記冊子カバーの内側面部から突出して配置されるマチ部を形成して直角に折り曲げられ、上記冊子押圧部は、上記係止部との係止状態を開放する方向への付勢力を有するように折曲形成されると共に、上記係止部は、上記他方のマチ部の先端部を、背表紙方向に向かう開口部を有するＵ字状に折り曲げ形成されていること特徴とする。
【００１３】
上記バインダー部材を上記冊子カバーに装着する場合には、上記冊子カバーの一方の孔部に、上記冊子押圧部、一方のマチ部、基部、他方のマチ部の順に、上記冊子カバーの内側面部から外側面部に向かって順次挿入し、続いて、冊子カバーの内側面部から外側面部に向かって。上記冊子押圧部、及び一方のマチ部を他方の孔部に順次挿入する。
上記操作によって、上記バインダー部材の基部は、上記冊子カバーの外側面部において幅方向に沿って配置されると共に、上記一対のマチ部は上記冊子カバーの内側面部から突出して配置され、
上記冊子押圧部は、上記冊子カバーの内側面部側に幅方向に沿って配置される。
上記のように、上記バインダー部材を装着するために、接着剤、若しくはネジなどの固定手段が不要であると共に、冊子カバーに対する加工工数も少なくて済む。
【００１４】
また、上記冊子押圧部は、上記係止部との係止を解除した状態においては、上記係止部との係止状態を開放する方向への付勢力を有することから、上記冊子押圧部の先端部を上記係止部に係止した状態において、上記係止部から離間する方向への付勢力が作用する。
【００１５】
また、請求項３記載の考案に係る冊子の固定構造は、上記バインダー部材は金属製であることを特徴とする。
従って、上記冊子押圧部と上記係止部との係止の着脱を繰り返しても、バインダー部材に変形や破損を生じ難い。
【００１６】
また、請求項４記載の考案に係る冊子の固定構造は、上記冊子カバーは、皮革から形成されていることを特徴とする。
【００１７】
また、請求項５記載の考案に係る冊子の固定構造は、上記冊子カバーは、上記冊子カバーを長さ方中央部において二つ折りの状態とした場合、二つ折り状態を保持しうるカバー固定部を備えていることを特徴とすることを特徴とする。
【００１８】
従って、持ち運びの際に冊子が開いてしまうことが無い。
【考案の効果】
【００１９】
請求項１〜５の考案にあっては、右見開きページを有し、左右のページが互いに連設された冊子を、上記冊子の表紙部及び裏表紙部を被覆しうる冊子カバーに固定する冊子の固定構造であって、上記冊子カバー及び上記冊子を、厚さ方向において挟持固定しうる全体棒状に形成されたバインダー部材を備え、上記バインダー部材は、冊子カバーの外側面部側に配置される基部と、上記基部の一端部において折曲形成され、上記冊子カバーの内側面部側において、上記冊子を上記冊子カバーに対して押圧しうる冊子押圧部と、上記基部の他端部において折曲形成され、上記冊子押圧部の先端部が係脱可能に係止しうる係止部とを備えたことから、従来の冊子カバーと比較して、構造が簡単であり、部品点数が少なくてよい。
従って、製造工数及び製造コストを低減しうる冊子カバーを提供することにある。
【００２０】
特に請求項２の考案にあっては、上記冊子カバーは、柔軟性を有し、全体長方形状に形成されると共に、長さ方向中央部の幅方向両端部には、厚さ方向に貫通する一対の孔部が設けられ、上記バインダー部材は、上記冊子カバーの幅方向の全域亘って配置され、上記基部の両端部は、上記冊子カバーの孔部を貫通して上記冊子カバーの内側面部から突出して配置されるマチ部を形成して直角に折り曲げられ、上記冊子押圧部は、上記係止部との係止状態を開放する方向への付勢力を有するように折曲形成されると共に、上記係止部は、上記他方のマチ部の先端部を、背表紙方向に向かう開口部を有するＵ字状に折り曲げ形成されていることから、請求項１の効果に加え、上記バインダー部材を上記冊子カバーに取り付ける場合、ネジ、及び接着剤等の固定手段を用いることなく、上記冊子カバーの一方の孔部に、上記冊子押圧部、一方のマチ部、基部、他方のマチ部の順に、上記冊子カバーの内側面部から外側面部に向かって順次挿入し、続いて、冊子カバーの内側面部から外側面部に向かって。上記冊子押圧部、及び一方のマチ部を他方の孔部に順次挿入ことにより簡単に装着することができる。
【００２１】
加えて、上記係止部との係止を解除した状態においては、上記係止部との係止状態を開放する方向への付勢力を有することから、上記冊子押圧部の先端部を上記係止部に係止した状態において、上記係止部から離間する方向への付勢力が作用し、係止状態が外れることがない。
従って、冊子が冊子カバーから外れ難いと共に、係止を解除した場合には、上記付勢力によって、上記冊子押圧部が速やかに係止部から離間するため、冊子の取り外し操作が容易である。
【００２２】
また、請求項３の考案にあっては、上記バインダー部材は金属製であることから、変形や破損を生じ難く、バインダー部材の耐久性が向上する。
【００２３】
また、請求項４の考案にあっては。上記冊子カバーは、皮革から形成されていることから、柔軟で手触りが良く、且つ外観品質が高い冊子カバーを提供することができる。
【００２４】
また、請求項５の考案にあっては、上記冊子カバーは、上記冊子カバーを長さ方中央部において二つ折りの状態とした場合、二つ折り状態を保持しうるカバー固定部を備えていることから、持ち運びの際に冊子が開いてしまうことが無い。
従って、冊子の折れや破損をより効果的に防止できる。
【図面の簡単な説明】
【００２５】
【図１】本考案に係る冊子小固定構造の一実施の形態を示し、実施例の形態における冊子カバー及びバインダー部材の構造を示す斜視図である。
【図２】本考案に係る冊子小固定構造の一実施の形態を示し、実施例の形態において、冊子を冊子カバーの内側面部に固定し、見開き状態とした状態を示す斜視図である。
【図３】本考案に係る冊子小固定構造の一実施の形態を示し、実施例の形態において、冊子カバーの内側面部に固定し、冊子を閉じた状態を示す斜視図である。
【図４】従来の冊子カバーの構成を示す斜視図である。
【考案を実施するための最良の形態】
【００２６】
以下、本考案を実施するための形態について、添付図面を用いて説明する。
図２に示すように、本実施例に係る冊子の固定構造１０は、右見開きページを有し、左右のページが互いに連設された冊子１１を、上記冊子１１の表紙部１１ａ及び裏表紙部１１ｂを被覆しうる冊子カバー１２と、図１に示すように、上記冊子カバー１２及び上記冊子１１（図１には図示せず）を、厚さ方向において挟持固定しうる全体棒状に形成された金属製のバインダー部材１３とを備え、上記バインダー部材１３は、上記冊子カバー１２の外側面部側１２ａに配置される基部１４と、上記基部１４の一端部において折曲形成され、上記冊子カバー１２の内側面部側１２ａにおいて、上記冊子１１を上記冊子カバー１２に対して押圧しうる冊子押圧部１５と、上記基部１４の他端部において折曲形成され、上記冊子押圧部１５の先端部１５ａが係脱可能に係止しうる係止部１６とを備えている。
【００２７】
また、図１に示すように、上記冊子カバー１２は、柔軟性を有する皮革からなり、全体長方形状に形成されると共に、長さ方向中央部の幅方向両端部には、厚さ方向に貫通する一対の孔部１７、１８が設けられ、上記バインダー部材１３は、上記冊子カバー１２の幅方向の全域亘って配置され、上記基部１４の両端部は、上記冊子カバーの孔部１７、１８を貫通して上記冊子カバーの内側面部から突出して配置されるマチ部１９、２０を形成して直角に折り曲げられ、上記冊子押圧部１５は、上記係止部１６との係止状態を開放する方向への付勢力を有するように折曲形成されると共に、上記係止部１６は、上記他方のマチ部２０の先端部を、背表紙方向に向かう開口部を有するＵ字状に折り曲げ形成されている。
【００２８】
また、図１に示すように、上記冊子カバー１２は、上記冊子カバー１２を長さ方向略中央部において二つ折りの状態とした場合、二つ折り状態を保持しうるカバー固定部２１を備えている。
【実施例１】
【００２９】
以下、上記形態の実施例の構成について、添付図面を用いて詳述する。
図１は、本実施例の形態における冊子の固定構造１０に係る、冊子カバー１２を見開きに開いた状態を示す斜視図である。
図１に示すように、冊子カバー１２は全体横長長方形状に形成され、長さ寸法は、少なくとも装着対象の冊子１１（図１には図示せず）の表紙１１ａ、裏表紙１１ｂ及び背表紙１１ｃの全域を被覆しうる寸法に形成されている。
【００３０】
また、冊子カバー１２のカバー固定部２１は、上記冊子カバー１２の長さ方向一端部の幅方向中央部に延設され、固定された冊子１１の厚さ寸法よりも大きな長さ寸法を有し、先端部にスナップボタン２２が配設されたカバー固定片部２３と、上記冊子カバー１２の長さ方向他端部の外側面部１２ｂに設けられ、上記スナップボタン２２が嵌合しうるボタン受け部２４が配設されている。
【００３１】
また、図１に示すように、上記冊子押圧部１５は、上記冊子カバー１２を、内側面部１２ａを上方に向けて、載置面に載置した場合に、先端部１５ａに向かって上記冊子カバー１２の内側面部１２ａから次第に離間するよう傾斜して配置されている。
【００３２】
上記構成の本実施例の作用について、添付図面を用いて説明する。
図１に示すように、冊子カバー１２に、バインダー部材１３を装着する場合は、上記冊子押圧部１５の先端部１５ａを、上記孔部１８に内側面部１２ａから外側面部１２ａに向かって挿入し、上記冊子押圧部１５に続き、一方のマチ部１９、基部１４、他方のマチ部２０を、順次上記孔部１８に挿通していく。
続いて、上記冊子押圧部１５の先端部１５ａを、上記冊子カバー１２の外側面部１２ｂから内側面部１２ｂに向かって、上記孔部１７に挿入し、上記冊子押圧部１５に続き、上記一方のマチ部２０を、上記孔部１７に通すことによって、上記バインダー部材１３の基部１４は、上記冊子カバー１２の外側面部１２ｂにおいて幅方向に沿って配置されると共に、上記一対のマチ部１９、２０は上記冊子カバー１２の内側面部１２ａから突出して配置され、上記冊子押圧部１５は、上記冊子カバー１２の内側面部１２ａ側に幅方向に沿って配置される。
従って、接着剤若しくはネジなどの固定手段を用いることなく、簡単にバインダー部材１３を冊子カバー１２に装着することができる。
また、冊子カバー１２が柔軟な皮革から形成されていることから、上記バインダー部材１３を上記冊子カバー１２の孔部１７，１８に挿通する場合にも、冊子カバー１２が変形し易く、挿通作業が行い易い。
また、既存の冊子カバー１２に孔部１７，１８を設ける加工を行うことによって、上記バインダー部材１３を、後から装着することもできる。
【００３３】
また、図２は、本実施例に係る冊子之固定構造１０において、冊子カバー１２の内側面部１２ａに冊子１１を見開き状態で固定した状態を示す斜視図である。
図２に示すように、冊子１１に冊子カバー１２を装着する場合には、上記冊子カバー１２の内側面部１２ａに上記冊子１１を見開き状態で載置した後に、上記冊子押圧部１５を図中矢印Ａの方向に押圧して移動させ、先端部１５ａを上記係止部１６に係止する。
これにより、上記冊子１１は、上記冊子カバー１２の内側面部１２ａに対して、上記冊子押圧部１５によって厚さ方句に押圧固定され、上記冊子１１が上記冊子カバー１２の内側面部１２ａ上に固定される。
この場合、冊子押圧部１５が上記係止部１６との係止状態を開放する方向への付勢力を有することから、上記冊子押圧部１５には上記係止部１６との係止時においても常に上記付勢力が作用する。
このため、上記冊子押圧部１５の先端は、上記係止部１６の上端部に強く圧接されるため、係止が外れ難く、冊子１１が落下してしまう虞が無い。
【００３４】
また、上記冊子カバー１２に冊子１１を固定して状態であっても、図２に示すように、上記冊子１１の表表紙部１１ａ及び裏表紙部１１ｂは、上記冊子カバー１２の内側面部１２ａに固定されていないため、表紙部１１ａ、及び裏表紙１１ｂに印刷された内容を簡単に確認することができる。
【００３５】
また、図３は、上記冊子カバー１２を、上記冊子１１に固定した状態で、冊子１１を閉じた状態を示す斜視図である。
図３に示すように、冊子１１を閉じ、上記冊子カバー１２の上記カバー固定片部２３の先端部に配設された上記スナップボタン２２と上記ボタン受け部２７とを嵌合することによって、上記冊子カバー１２が閉じた状態に保持されるため、持ち運び時等において、冊子１１が開いて、折れや破損が生じてしまう事象を防止することができる。
【００３６】
また、図２に示すように、上記冊子押圧部１５の先端部１５ａと、係止部１６との係止を解除すると、冊子押圧部１５が上記係止部１６との係止状態を開放する方向への付勢力を有することから、上記冊子押圧部１５は、上記係止部１６から離間した位置に自動的に移動するため、冊子カバー１２から、冊子１１を容易に取り外すことができる。
【００３７】
なお、冊子カバーの大きさ寸法は、バインダー部材の各構成部の寸法については、装着対象の冊子の大きさ寸法、厚さ寸法に応じて適宜変更することができる。
【産業上の利用可能性】
【００３８】
本考案は、冊子の表紙部、裏表紙部及び背表紙部を被覆しうる冊子カバーに適用することができる。
【符号の説明】
【００３９】
１０  冊子の固定構造
１１  冊子
１１ａ冊子の表紙部
１１ｂ冊子の裏表紙部
１１ｃ冊子の背表紙部
１２  冊子カバー
１２ａ冊子カバーの内側面部
１２ｂ冊子カバーの外側面部
１３  バインダー部材
１４  基部
１５  冊子押圧部
１５ａ冊子押圧部の先端部
１６  係止部
１７  孔部
１８  孔部
１９  マチ部
２０  マチ部
２１  カバー固定部
２２  スナップボタン
２３  カバー固定片部
２４  ボタン受け部
７０  冊子の固定構造
７１  冊子カバー
７２  背当て部
７２ａ背当て部の一端部
７２ｂ背当て部の他端部
７３  ヒンジ部
７４  冊子押圧部
７４ａ冊子押圧部の先端
７５  係止部
【図１】
0003167319.tif 000003
【図２】
0003167319.tif 000004
【図３】
0003167319.tif 000005
【図４】
0003167319.tif 000006